(57)【特許請求の範囲】
【請求項１】
それぞれ踏桟を設けた左右一対の脚柱を備え、最下段梯子部、下段梯子部、中段梯子部、及び上段梯子部からなる４段式の梯子部を、上下摺動自在に連結するとともに、各段の梯子部の脚柱を、ウェブとフランジとから溝部を有する横断面視略コ字状に形成し、隣接する脚柱同士のフランジを重合状態に組み合わせ、略一段相当の長さまで収縮可能に構成し、収縮時の梯子全体の厚みを可及的に小さくした伸縮梯子であって、
前記最下段梯子部と前記下段梯子部との相対的な伸縮動作を、ストッパの係合・解除により行い、前記中段梯子部と前記上段梯子部の伸縮動作を平ベルト又はロープの引き動作により行うように構成し、
しかも、前記下部梯子部の一側の脚柱の下側部に第一滑車を設ける一方、上側に第二滑車を設け、前記中段梯子部の左右の脚柱の下側部に、上下一対の第三滑車と第四滑車とを左右線対称位置に設けるとともに、前記第三滑車及び第四滑車の各上側部に、左右対称位置となるように第五滑車と第六滑車とを設け、
前記中段梯子部を伸縮させるための平ベルト又はロープの一端を、前記下段梯子部の一側の脚柱の下側部に連結固定し、前記中段梯子部に設けた前記第三滑車のうちの下側滑車の上側部を通って水平に伸延し、さらに、前記第四滑車のうちの下側滑車の上側部を通って下側に向きを変えた後、前記下段梯子部の第一滑車の下側部を通って上側に向きを変え、脚柱に沿って略垂直に伸延し、前記第二滑車の上側部を通って下向きに伸延して前記第四滑車のうちの上側滑車の下側部を通って水平に伸延し、前記第三滑車のうちの上側滑車の下側部を通って上向きに折り返されて伸延して、前記下段梯子部の一側の脚柱上側部に連結固定する一方、
前記上段梯子部を伸縮させるための平ベルトＥ又はロープは、その一端を前記下段梯子部の一側の脚柱の上端部近傍に連結固定し、前記中段梯子部の脚柱の上部に設けた前記第五滑車の上側部を通って下側へ向きを変え、前記上段梯子部の左右の脚柱の下部に設けたベルト摺動案内具を通して上向きに伸延させ、前記中段梯子部の前記第六滑車の上側部を通して下側に向きを変えて前記下段梯子部の上端部近傍に連結固定したことを特徴とする伸縮梯子。
【請求項２】
前記踏桟の端部を、各脚柱のウェブに取付けた梯子部と、フランジに取付けた梯子部とを交互に配置したことを特徴とする請求項１記載の伸縮梯子。
【請求項３】
前記最下段梯子部と下段梯子部の溝部をそれぞれ内向きと外向きとにして、両溝部が向き合うように、一側のフランジ同士が重合状態で摺動自在となるように組合わせるとともに、中段梯子部の脚柱の溝部を内向きにして、同溝部内に外向きの溝部を有する上段梯子部の脚柱を摺動自在に配設し、さらに、前記下段梯子部の上部位置に、中段梯子部を抱持するガイドホルダを取付けたことを特徴とする請求項１又は２に記載の伸縮梯子。
【発明の詳細な説明】
【０００１】
【発明の属する技術分野】
この発明は、伸縮梯子に関するものである。
【０００２】
【従来の技術】
従来、この種の伸縮梯子としては、相互に摺動自在に連結された二段式のもの、あるいは、下段梯子部、中段梯子部、上段梯子部からなる３段式のものが一般的な構成であった。
【０００３】
特に、架線の工事などでは、かなりの高所まで梯子を伸長する必要があるし、また、一般家庭においても、二階の屋根に登ったり、あるいは三階建てなどの高所で作業する場合があるので、３段式、あるいはそれ以上の段数を有する多段式の伸縮梯子の需要も増加している。
【０００４】
【発明が解決しようとする課題】
ところが、上記した従来の伸縮梯子構造を踏襲して、例えば４段式にしようとした場合、図１０(a)に示すように、各段の梯子部X1〜X4を入れ子式にしたり、図１０(b)に示すように、各段の梯子部Y1〜Y4の脚柱Z1〜Z4が上下に重合したタイプとなってしまう。
【０００５】
これでは、収縮時の梯子全体の厚みＤが大きくなって、大きな収納場所が必要となったり、取扱いも不便となってしまう。
【０００６】
結局、一般家庭などでは、収納場所に困って雨ざらしにしたりすることになり、梯子を劣化させてしまうことが多かった。
【０００７】
また、架線工事に用いる場合に車両での搬送も不便である。
【０００８】
さらに、４段式の伸縮梯子を伸縮させるために、ロープ及び滑車を利用した周知技術をそのまま採用した場合、１段ごとに引上げ用ロープが垂下して、梯子昇降時に邪魔になるだけでなく、引っ掛けたりすると梯子の転倒のおそれもあって危険である。
【０００９】
本発明は、上記課題を解決することのできる伸縮梯子伸縮梯子を提供することを目的としている。
【００１０】
【課題を解決するための手段】
上記課題を解決するために、請求項１記載の本発明では、それぞれ踏桟を設けた左右一対の脚柱を備え、最下段梯子部、下段梯子部、中段梯子部、及び上段梯子部からなる４段式の梯子部を、上下摺動自在に連結するとともに、各段の梯子部の脚柱を、ウェブとフランジとから溝部を有する横断面視略コ字状に形成し、隣接する脚柱同士のフランジを重合状態に組み合わせ、略一段相当の長さまで収縮可能に構成し、収縮時の梯子全体の厚みを可及的に小さくした伸縮梯子であって、前記最下段梯子部と前記下段梯子部との相対的な伸縮動作を、ストッパの係合・解除により行い、前記中段梯子部と前記上段梯子部の伸縮動作を平ベルト又はロープの引き動作により行うように構成し、しかも、前記下部梯子部の一側の脚柱の下側部に第一滑車を設ける一方、上側に第二滑車を設け、前記中段梯子部の左右の脚柱の下側部に、上下一対の第三滑車と第四滑車とを左右線対称位置に設けるとともに、前記第三滑車及び第四滑車の各上側部に、左右対称位置となるように第五滑車と第六滑車とを設け、前記中段梯子部を伸縮させるための平ベルト又はロープの一端を、前記下段梯子部の一側の脚柱の下側部に連結固定し、前記中段梯子部に設けた前記第三滑車のうちの下側滑車の上側部を通って水平に伸延し、さらに、前記第四滑車のうちの下側滑車の上側部を通って下側に向きを変えた後、前記下段梯子部の第一滑車の下側部を通って上側に向きを変え、脚柱に沿って略垂直に伸延し、前記第二滑車の上側部を通って下向きに伸延して前記第四滑車のうちの上側滑車の下側部を通って水平に伸延し、前記第三滑車のうちの上側滑車の下側部を通って上向きに折り返されて伸延して、前記下段梯子部の一側の脚柱上側部に連結固定する一方、前記上段梯子部を伸縮させるための平ベルトＥ又はロープは、その一端を前記下段梯子部の一側の脚柱の上端部近傍に連結固定し、前記中段梯子部の脚柱の上部に設けた前記第五滑車の上側部を通って下側へ向きを変え、前記上段梯子部の左右の脚柱の下部に設けたベルト摺動案内具を通して上向きに伸延させ、前記中段梯子部の前記第六滑車の上側部を通して下側に向きを変えて前記下段梯子部の上端部近傍に連結固定した。
【００１１】
また、請求項２記載の本発明では、踏桟の端部を、各脚柱のウェブに取付けた梯子部と、フランジに取付けた梯子部とを交互に配置して複数段とした。
【００１２】
また、請求項３記載の本発明では、前記最下段梯子部と下段梯子部の溝部をそれぞれ内向きと外向きとにして、両溝部が向き合うように、一側のフランジ同士が重合状態で摺動自在となるように組合わせるとともに、中段梯子部の脚柱の溝部を内向きにして、同溝部内に外向きの溝部を有する上段梯子部の脚柱を摺動自在に配設し、さらに、前記下段梯子部の上部位置に、中段梯子部を抱持するガイドホルダを取付けた。
【００１６】
【発明の実施の形態】
本発明は、それぞれ踏桟を設けた左右一対の脚柱を備える複数段の梯子部を、上下摺動自在に連結した伸縮梯子であって、各段の梯子部の脚柱を、ウェブとフランジとから溝部を有する横断面視略コ字状に形成し、隣接する脚柱同士のフランジを重合状態に組み合わせ、略一段相当の長さまで収縮可能に構成するとともに、収縮時の梯子全体の厚みを可及的に小さくしたものである。
【００１７】
また、上記踏桟は、各梯子部の脚柱間に、適宜間隔をあけて複数個設けられており、踏桟の両端部を脚柱に連結しているが、収縮時の梯子全体の厚みを可及的に小さくするためには、かかる踏桟の端部を、各脚柱のウェブに取付けた梯子部と、フランジに取付けた梯子部とを交互に配置して複数段とするとよい。
【００１８】
また、上記伸縮梯子は、取扱いや収納時の長さ、厚みなどを考慮すると、最下段梯子部、下段梯子部、中段梯子部、上段梯子部からなる４段式にすることが好ましい。
【００１９】
この場合、最下段梯子部と下段梯子部の溝部をそれぞれ内向きと外向きとにして、両溝部が向き合うように、一側のフランジ同士が重合状態で摺動自在となるように組合わせるとともに、中段梯子部の脚柱の溝部を内向きにして、同溝部内に外向きの溝部を有する上段梯子部の脚柱を摺動自在に配設し、さらに、前記下段梯子部の上部位置に、中段梯子部を抱持するガイドホルダを取付けた構成とすることが望ましい。
【００２０】
かかる４段式の伸縮梯子であれば、一般に必要な高さまで自在に伸ばして使用することができるとともに、収縮させた場合でも、梯子の厚みが薄くなり、収納容積を可及的に小さくすることができ、コンパクトに収納しやすく、かつ取扱いやすくなる。
【００２１】
また、上記各梯子部の伸縮動作は、各梯子部の脚柱にそれぞれ滑車を配設し、脚柱間に滑車を介して平ベルト又はロープを掛け渡し、同平ベルト又はロープの引き動作により、可動部材を往復摺動させて行うことができる。このとき、前記下部梯子部の一側の脚柱の下側部に第一滑車を設ける一方、上側に第二滑車を設け、前記中段梯子部の左右の脚柱の下側部に、上下一対の第三滑車と第四滑車とを左右線対称位置に設けるとともに、前記第三滑車及び第四滑車の各上側部に、左右対称位置となるように第五滑車と第六滑車とを設け、前記中段梯子部を伸縮させるための平ベルト又はロープの一端を、前記下段梯子部の一側の脚柱の下側部に連結固定し、前記中段梯子部に設けた前記第三滑車のうちの下側滑車の上側部を通って水平に伸延し、さらに、前記第四滑車のうちの下側滑車の上側部を通って下側に向きを変えた後、前記下段梯子部の第一滑車の下側部を通って上側に向きを変え、脚柱に沿って略垂直に伸延し、前記第二滑車の上側部を通って下向きに伸延して前記第四滑車のうちの上側滑車の下側部を通って水平に伸延し、前記第三滑車のうちの上側滑車の下側部を通って上向きに折り返されて伸延して、前記下段梯子部の一側の脚柱上側部に連結固定する一方、前記上段梯子部を伸縮させるための平ベルトＥ又はロープは、その一端を前記下段梯子部の一側の脚柱の上端部近傍に連結固定し、前記中段梯子部の脚柱の上部に設けた前記第五滑車の上側部を通って下側へ向きを変え、前記上段梯子部の左右の脚柱の下部に設けたベルト摺動案内具を通して上向きに伸延させ、前記中段梯子部の前記第六滑車の上側部を通して下側に向きを変えて前記下段梯子部の上端部近傍に連結固定することができる。
【００２２】
特に、４段式のように多段の伸縮梯子とする場合、上記最下段梯子部と下段梯子部との相対的な伸縮動作を、ストッパの係合・解除により行い、中段梯子部と上段梯子部の伸縮動作を平ベルト又はロープの引き動作により行うことができる。
【００２３】
かかる構成とすることにより、伸縮梯子を、収縮状態で載置して、ストッパを解除することで最下段梯子部を引き出して用いれば４段の梯子として、最下段梯子部を引き出さない状態では３段の梯子として使用でき、用途に応じた選択が簡便である。
【００２４】
また、中段梯子部及び上段梯子部を伸縮させる場合は、梯子を立て掛けた状態であっても、手元でのベルト操作又はロープ操作により、両梯子部の脚柱を容易に伸縮させることができ、特に、平ベルトとすれば握りやすい幅広に形成しやすく、操作性が良好となる。
【００２５】
また、一つのベルト又はロープの操作で、中段梯子部と上段梯子部とが連動して伸縮動作する構成とすることができる。
【００２６】
すなわち、中段梯子部の脚柱の溝部に沿って上段梯子部の脚柱を往復摺動可能に取付け、しかも、下段梯子部と中段梯子部と上段梯子部の各脚柱にまたがって前記平ベルト又はロープを掛け渡し、中段梯子部の脚柱の往復摺動に連動して、上段梯子部の脚柱が往復摺動するように構成するものである。
【００２７】
かかる構成とすれば、ベルト又はロープを引き動作しても、引かれた分は上梯子の上昇移動に吸収されて緊張状態を保持することができ、梯子の下方にベルトやロープが弛んで余ることがないので、邪魔になったり、人が足を引っ掛けたりするおそれもない。
【００２８】
なお、当然ながら、最下段梯子及び下段梯子の伸縮についてもベルト又はロープによる操作で行わせるようにしても構わない。
【００２９】
【実施例】
以下、本発明の実施例を、図面を参照しながら説明する。
【００３０】
図１(a)は本実施例に係る伸縮梯子の伸長状態を示す正面視による説明図、図１(b)は同側面視による説明図、図２(a)は同伸縮梯子の一部収縮状態を示す説明図、図２(b)は同全収縮状態を示す説明図、図３は図２(a)のＩ−Ｉ線における断面説明図、図４は図１(a)のＩ−Ｉ線における断面説明図、図５は同II−II線における断面説明図、図６は同III−III線における断面説明図、図７(a),(b)は最下段梯子部と下段梯子部とを伸縮させるためのストッパ機構の説明図、図８(a)は図７(a)のａ−ａ’断面図、図８(b)は図７(b)のｂ−ｂ’断面図、図９(a),(b)は中段梯子部と上段梯子部の伸縮機構の説明図である。
【００３１】
図１〜図６に示すように、本実施例に係る伸縮梯子Ａは、最下段梯子部A1と、下段梯子部A2と、中段梯子部A3と、上段梯子部A4とからなる４段式であり、主に軽量なアルミ合金材料により構成されている。
【００３２】
なお、本発明に係る伸縮梯子Ａは４段式に限定するものではないが、通常の用途に対して、取扱いや収納時の長さ・厚みなどから最適と考えられる。
【００３３】
各梯子部A1〜A4は、対向する一対の脚柱1,1、2,2、3,3、4,4と、これらの間に架設された複数の踏桟5 ,6,7,8を具備しており、各脚柱1,1、2,2、3,3、4,4同士を互いにそれぞれ往復摺動自在に連結し、本実施例においては、略1.5ｍ〜5.6ｍの範囲で伸縮可能としている。したがって、十分な高所への立て掛けが可能であり、しかも、収納する場合は略１段の長さに収縮することができるのでコンパクトであり、収納、運搬が容易となる。
【００３４】
最下段梯部A1の下端部には、本伸縮梯子Ａを使用する際に安定性を増すための周知構造であるアウトリガーＢを取付け、上段梯子部A4の先端部には、壁体に立て掛ける際の横ずれを防止するとともに、例えば架線などに立て掛ける場合には外れ防止となる安全フックＦを軸周りに回動自在、かつ軸線方向に伸縮自在に取付けている。したがって、安定した姿勢を保持でき、安全な高所作業が行える。B1はアウトリガーの左右伸縮杆、B2は同左右伸縮杆B1の先端に上下進退自在に取付けたネジ管、B3は滑り止め機能を有する脚座である。
【００３５】
また、各梯子部A1〜A4のそれぞれの脚柱1,1、2,2、3,3、4,4は、図３に示すように、ウェブ11,21,31,41と、同ウェブ11,21,31,41の両側に形成されたフランジ12,22,32,4 2とから横断面視略コ字状に形成している。13,23,33,43は、ウェブ11,21,31,41とフランジ12,22,32,42により形成される溝部である。
【００３６】
そして、各脚柱1,1、2,2、3,3、4,4は、隣接するもの同士、すなわち、図４に示すように、最下段梯子部A1と下段梯子部A2の各フランジ12,22同士、図５に示すように、下段梯子部A2と中段梯子部A3のフランジ22,32同士、また図６に示すように、中段梯子部A3と上段梯子部A4のフランジ32,42同士を重合状態に組み合わせて摺動自在とし、図２に示すように、収縮時には、略一段相当の長さまで収縮可能としている。
【００３７】
しかも、上記構成とすることにより、図３に示すように、収縮時の伸縮梯子Ａ全体の厚みＤを著しく小さくすることができ、収納や取扱いがきわめて容易となる。
【００３８】
ここで、各梯子部A1〜A4の構成についてさらに詳述する。
【００３９】
図３に示すように、最下段梯子部A1は、脚柱１のフランジ12を断面視内向きの略コ字状に形成し、踏桟５の両端部を扁平加工するとともに、略Ｌ字状に屈曲形成して、前記ウェブ11及びフランジ12とに外側から重合しボルトなどで固定している。したがって、踏桟５は、最下段梯子部A1の表面側に配置されていることになる。また、同最下段梯子部A1の上部位置には（図１参照）、スライド補強板15を脚柱１に巻くようにして取付けている。
【００４０】
下段梯子部A2は、脚柱２のウェブ21とフランジ22とで断面視外向きの略コ字状に形成し、踏桟６の両端部を脚柱２のウェブ21の略中央に嵌合してかしめることで固定している。したがって、踏桟６と前記踏桟５とは、厚みＤ方向に若干の隙間をもっており、互いの摺動動作に支障がないようにしている。また、同下段梯子部A2の下部位置には（図２参照）、スライド補強板25を取付けている。
【００４１】
さらに、同下段梯子部A2の上部位置には、同位置の溝部23内に、脚柱２とは逆向きチャンネル状に形成した補強材26を配設し（図１及び図５参照）、同補強材26に、中段梯子部A3を摺動自在に抱持する二つのガイドホルダH,Hを上下に一定間隔をあけて取付けている（図１〜図５参照）。H1は左右のガイドホルダＨを背面で連結する連結バーである。
【００４２】
そして、最下段梯子部A1と下段梯子部A2の溝部13,23が向き合うようにして、一側のフランジ同士12,22が重合状態で摺動自在となるように組合わせるとともに、両側のフランジ同士12,22間に第１・第２スライドガイド片17,16をそれぞれ取付け、互いのガタを可及的に少なくしている（図３及び図４）。
【００４３】
また、図３及び図５に示すように、中段梯子部A3は、前記ガイドホルダH,H内に摺動自在に配設されており、脚柱３内に設けた溝部33を、幅狭溝部33aと幅広溝部33bとに区画形成し、両溝部33a,33bが内向きとなるように配設している。32aは区画用フランジである。
【００４４】
そして、前記幅狭溝部33aに、両端部を扁平加工した踏桟７を嵌入しボルトなどで固定している。下段梯子部A2の踏桟６は、脚柱２のウェブ21の略中央に配置されているので、中段梯子部A3の踏桟７との間には若干の隙間が形成されている。また、左右のフランジ32の背面側同士間を、補強用連結バー35により連結しいる。
【００４５】
図３及び図６に示すように、上段梯子部A4は、中段梯子部A3の脚柱３の溝部33内に摺動自在に配設されており、同上段梯子部A4の脚柱４は、ウェブ41とフランジ42とで断面視外向きの略コ字状に形成し、踏桟８の両端部を脚柱４のウェブ41の略中央に嵌合してかしめることで固定している。したがって、踏桟８と前記踏桟７とは、厚みＤ方向に若干の隙間をもっており、互いの摺動動作に支障がない。
【００４６】
このように、各梯子部A1〜A4は、その収縮時の伸縮梯子Ａ全体の厚みＤを可及的に薄くすることができるような構成となっているので、極めてコンパクトとなり、収納時などに大容積の保管場所が要らず、また運搬も容易となる。
【００４７】
上記伸縮梯子Ａは、最下段梯子部A1と下段梯子部A2とを、ストッパ機構Ｓを介して互い摺動可能としている。
【００４８】
すなわち、図１及び図７、図８に示すように、下段梯子A2の左右の脚柱2,2の内側側面に、脚柱２を貫通するストッパピンS1を連設したノブS2を取付けており、同ノブS2の操作により、最下段梯子部A1の脚柱１に設けたピン挿通孔18に係脱可能としている。図７及び図８中、S11はストッパピンS1を突出方向へ付勢するコイルバネ、S12はテーパ面を有し、ノブS2を回しながらストッパピンS1をピン挿通孔18から離脱させるガイド体、S21はノブS2の下面に設けたガイド筒であり、前記ガイド体S12のテーパ面と同テーパの端面を周設している。
【００４９】
かかる構成により、最下段梯子部A1を使用する場合は、上記ストッパ機構Ｓを操作してストッパピンS1と最下段梯子A1との係合を離脱させて、手動により最下段梯子部A1を下方へスライドさせて引き出すことができる。
【００５０】
一方、中段梯子部A3及び上段梯子部A4を、下段梯子部A2に対してベルト操作により往復摺動可能としている。
【００５１】
すなわち、上段梯子部A4は、前記中段梯子部A3に連動して往復摺動可能となっているもので、図９に示すように、下段梯子部A2と中段梯子部A3と上段梯子部A4の各脚柱2,3,4にまたがって滑車群Ｃを介して平ベルトＥを掛け渡し、中段梯子部A3の脚柱３の往復摺動に連動して、上段梯子部A4の脚柱４が往復摺動するように構成している。
【００５２】
図９中、C1は下部梯子部A2の一側の脚柱２の下側部に設けた第一滑車、C2はその上側部に設けた第二滑車、C3,C4は、中段梯子部A3の左右の脚柱3,3の下側部に、左右線対称位置に設けた上下一対の第三、第四滑車、C5,C6はそれぞれの上側部に、同じく左右対称位置となるように配設した第五、第六滑車である。また、37は上段梯子部A4の左右の脚柱4,4の下側部に設けたベルト摺動案内具である。
【００５３】
上記のように配設した滑車群に対して、中段梯子部A2を伸縮させる伸縮動作用平ベルトＥの一端を、下段梯子部A2の一側の脚柱２の下側部に連結固定し、中段梯子部A3に設けた第三滑車C3の下側滑車C3aの上側部を通って水平に伸延し、さらに第四滑車C4の下側滑車C4aの上側部を通って下側に向きを変えた後、下段梯子部A2の第一滑車C1の下側部を通って上側に向きを変え、脚柱２に沿って略垂直に伸延し、第二滑車C2の上側部を通って下向きに伸延して第四滑車C4の上側滑車C4bの下側部を通って水平に伸延し、第三滑車C3の上側滑車C3bの下側部を通って上向きに折り返されて伸延し、下段梯子部A2の一側の脚柱２の上側部に連結固定している。
【００５４】
他方、上段梯子部A4を伸縮させるための同調用平ベルトＥは、一端を下段梯子部A2の一側の脚柱２の上端部近傍、すなわち、前記伸縮動作用平ベルトＥの取付端部近傍に連結固定し、中段梯子部A3の脚柱３の上部に設けた第五滑車C5の上側部を通って下側へ向きを変え、上段梯子部A4の左右の脚柱４の下部に設けたベルト摺動案内具37,37を通して上向きに伸延させ、中段梯子部A3の第六滑車C6の上側部を通して下側に向きを変えて下段梯子部A2の上端部近傍、すなわち、第二滑車C2の近傍に連結固定している。
【００５５】
上記構成により、伸縮動作用平ベルトＥの第一滑車C1と第二滑車C2間に位置する部分を下方へ引き下げると、同平ベルトＥの取付端部が支持点となって第三、第四滑車C3,C4を介して中段梯子部A3が引上げられる。このとき、平ベルトＥの引き下げられた余長部分は、中段梯子部A3とともに上昇する前記第三、第四滑車C3,C4とともに上方に引上げられて緊張状態が保持されることになる。
【００５６】
また、中段梯子部A3が上方へ摺動すると、下段梯子部A2の脚柱2,2に連結固定されている同調用平ベルトＥが、中段梯子部A3の上昇に伴って上方へ引っ張られて変位して、上段梯子部A4が上方へ摺動して、伸縮梯子Ａ全体が伸長することになる。
【００５７】
なお、使用する平ベルトＥは、伸縮性がなく、強度的に十分な合成樹脂製のベルトを用いている。
【００５８】
以上説明してきたように、本実施例に係る伸縮梯子Ａは、一般に必要な高さまで自在に伸ばして使用することができ、使い勝手が良好であり、しかも、収縮させた場合、梯子Ａの厚みＤが小さくなって、収納容積を可及的に小さくすることができ、収納しやすく、かつ取扱いやすい。
【００５９】
また、中段梯子部A3及び上段梯子部A4を伸縮させる場合は、伸縮梯子Ａを立て掛けた状態であっても、手元でのベルト操作により、両梯子部A3,A4の脚柱3,4を容易に伸縮させることができ、しかも、平ベルトなので握りやすい幅広に形成しやすく、操作性が良好となる。
【００６０】
そして、平ベルトを引き動作しても、引かれた分は上段梯子部A4の上昇移動に吸収されて緊張状態を保持することができ、伸縮梯子Ａの下方にベルトが弛んで余ることがないので、邪魔になったり、人が足を引っ掛けたりするおそれもない。
【００６１】
なお、本実施例では、中段梯子部A3と上段梯子部A4とのみをベルトにより伸縮可能にしているが、上記構成同様に、最下段梯子部A1と下段梯子部A2との間に伸縮動作用の平ベルトを巻回し、下段梯子部A2と中段梯子部A3との間に同調用の平ベルトを配設しておけば、下段梯子部A2についてもベルト操作により伸縮動作が可能となる。
【００６２】
また、平ベルトＥに代えてロープなどを使用することも可能である。
【００６３】
【発明の効果】
本発明は上記のような形態で実施されるもので、以下の効果を奏する。
【００６４】
(1)それぞれ踏桟を設けた左右一対の脚柱を備える複数段の梯子部を、上下摺動自在に連結した伸縮梯子であって、各段の梯子部の脚柱を、ウェブとフランジとから溝部を有する横断面視略コ字状に形成し、隣接する脚柱同士のフランジを重合状態に組み合わせ、略一段相当の長さまで収縮可能に構成するとともに、収縮時の梯子全体の厚みを可及的に小さくしたことにより、コンパクトな収納が行え、かつ取扱いやすくなる。
【００６５】
また、最下段梯子部、下段梯子部、中段梯子部、上段梯子部からなる４段式としたことにより、通常の使用では十分の作業高さを確保しつつ、運搬、収納が容易となる。
【００６６】
さらに、最下段梯子部と下段梯子部との相対的な伸縮動作を、ストッパの係合・解除により行い、中段梯子部と上段梯子部の伸縮動作を平ベルト又はロープの引き動作により行うこととしたので、最下段梯子部を引き出さない状態では３段の梯子として使用でき、用途に応じて選択でき、中段梯子部及び上段梯子部を伸縮させる場合は、梯子を立て掛けた状態で、手元でのベルト操作により両梯子部の脚柱を容易に伸縮させることができる。特に、平ベルトとすれば握りやすく、操作性が良好となる。
【００６７】
また、前記中段梯子部を伸縮させるための平ベルト又はロープの一端を、前記下段梯子部の一側の脚柱の下側部に連結固定し、前記中段梯子部に設けた前記第三滑車のうちの下側滑車の上側部を通って水平に伸延し、さらに、前記第四滑車のうちの下側滑車の上側部を通って下側に向きを変えた後、前記下段梯子部の第一滑車の下側部を通って上側に向きを変え、脚柱に沿って略垂直に伸延し、前記第二滑車の上側部を通って下向きに伸延して前記第四滑車のうちの上側滑車の下側部を通って水平に伸延し、前記第三滑車のうちの上側滑車の下側部を通って上向きに折り返されて伸延して、前記下段梯子部の一側の脚柱上側部に連結固定する一方、前記上段梯子部を伸縮させるための平ベルト又はロープは、その一端を前記下段梯子部の一側の脚柱の上端部近傍に連結固定し、前記中段梯子部の脚柱の上部に設けた前記第五滑車の上側部を通って下側へ向きを変え、前記上段梯子部の左右の脚柱の下部に設けたベルト摺動案内具を通して上向きに伸延させ、前記中段梯子部の前記第六滑車の上側部を通して下側に向きを変えて前記下段梯子部の上端部近傍に連結固定したので、一つのベルト又はロープの操作で、中段梯子部と上段梯子部とが連動して伸縮動作する構成とすることができる。
【００６８】
（２）請求項２記載の本発明では、踏桟の端部を、各脚柱のウェブに取付けた梯子部と、フランジに取付けた梯子部とを交互に配置して複数段としたことにより、収縮時の梯子全体の厚みを確実に小さくすることができる。
【００６９】
（３）)請求項３記載の本発明では、上記最下段梯子部と下段梯子部の溝部をそれぞれ内向きと外向きとにして、両溝部が向き合うように、一側のフランジ同士が重合状態で摺動自在となるように組合わせるとともに、中段梯子部の脚柱の溝部を内向きにして、同溝部内に外向きの溝部を有する上段梯子部の脚柱を摺動自在に配設し、さらに、前記下段梯子部の上部位置に、中段梯子部を抱持するガイドホルダを取付けたことにより、円滑な伸縮作動となり、しかも、収縮時の梯子厚みが薄くなるので、コンパクトに収納することができる。
【図面の簡単な説明】
【図１】本実施例に係る伸縮梯子の伸長状態を示す説明図である。
【図２】同伸縮梯子の収縮状態を示す説明図である。
【図３】図２のＩ−Ｉ線における断面説明図である。
【図４】図１のＩ−Ｉ線における断面説明図である。
【図５】同II−II線における断面説明図である。
【図６】同III−III線における断面説明図である。
【図７】最下段梯子部と下段梯子部とを伸縮させるためのストッパ機構の説明図である。
【図８】最下段梯子部と下段梯子部とを伸縮させるためのストッパ機構の説明図である。
【図９】中段梯子部と上段梯子部の伸縮機構の説明図である。
【図１０】従来の伸縮梯子の収縮時の厚みを示す説明図である。
【符号の説明】
Ａ  伸縮梯子
A1  最下段梯子部
A2  下段梯子部
A3  中段梯子部
A4  上段梯子部
Ｅ  平ベルト
Ｄ  厚み
Ｓ  ストッパ機構
１〜４  脚柱
５〜８  踏桟
11,21,31,41  ウェブ
12,22,32,42  フランジ
13,23,33,43  溝部
【図１】
0004499305.tif 000002
【図２】
0004499305.tif 000003
【図３】
0004499305.tif 000004
【図４】
0004499305.tif 000005
【図５】
0004499305.tif 000006
【図６】
0004499305.tif 000007
【図７】
0004499305.tif 000008
【図８】
0004499305.tif 000009
【図９】
0004499305.tif 000010
【図１０】
0004499305.tif 000011